(57)【要約】      （修正有）【課題】蓋の重みの影響を受けることなく、ロールペーパーの引き出し部分を摘まんで、楽に且つ確実に引き出すことができるロールペーパーホルダーを提供する。【技術的手段】ロールペーパー１を横向き状に保持し、引き出し部分１ａをロールペーパー１の下から前方に引き出す形式のロールペーパーホルダーである。ロールペーパー１の引き出し部分１ａを支持する支持板２を、ロールペーパー１の下方に設ける。この支持板２の前端２ｃの左右側を切り欠き、ロールペーパー１の引き出し部分１ａを摘まむための摘まみ部４に形成する。また、上記の構造において、支持板２を、前方に下り傾斜状に形成し、また支持板２の前端２ｃを鋸歯状に形成するのが好ましい。【選択図】図１
0003168438.tif 000002
【実用新案登録請求の範囲】
【請求項１】
ロールペーパーが横向き状に保持され、引き出し部分がロールペーパーの下から前方に引き出される形式のロールペーパーホルダーであって、ロールペーパーの引き出し部分を支持する支持板がロールペーパーの下方に設けられ、この支持板の前端の左右側が切り欠かれ、ロールペーパーの引き出し部分を摘まむための摘まみ部に形成されていることを特徴とするロールペーパーホルダー。
【請求項２】
請求項1記載のロールペーパーホルダーであって、支持板が前方に下り傾斜状に形成されていることを特徴とするロールペーパーホルダー。
【請求項３】
請求項1又は２記載のロールペーパーホルダーであって、支持板の前端が鋸歯状に形成されていることを特徴とするロールペーパーホルダー。
【考案の詳細な説明】
【技術分野】
【０００１】
本考案は、ロールペーパーホルダーに関し、更に詳しくは、例えば壁に取り付け、巻回状のトイレットペーパーなどのロールペーパーを保持するのに使用するロールペーパーホルダーに関するものである。
【背景技術】
【０００２】
従来この種のホルダーとしては、例えば特許文献１に記載されているものが知られている。
この従来品は、左右のブラケットにロール体の取付軸を設け、この取付軸にロール体を横向きに取り付け、このロール体をカバー板で覆い、このカバー板の先でロール体の引き出し部分をカット可能に形成している。
【０００３】
ところで、上記の従来品は、ロール体の引き出し部分が、カバー板の下に配置されるものであった。
従って、この従来品の場合は、ロール体を引き出す際に、カバー板を持ち上げる必要があった。その結果、この従来品を使用すると、引き出し操作が不便で、使い勝手が悪い、という問題点があった。
而して従来、ロール体の引き出し操作を容易化するため、蓋の両側に切り欠きを形成したものも知られている（特許文献２参照）。
しかしこの従来品は、特許文献１の従来品と同様、蓋がロール体の上に当接しているため、蓋の重みでロール体の引き出し部分が押さえ付けられるものであった。
従って、この従来品は、蓋に形成されている切り欠きが引き出し操作を容易化するために十分機能せず、また引き出す度に蓋を持ち上げなければならない、という煩わしさがあった。
【先行技術文献】
【特許文献】
【０００４】
【特許文献１】特開２００６−２５９０８号公報
【特許文献２】特開２００７−２７５５２８号公報
【考案の概要】
【考案が解決しようとする課題】
【０００５】
本考案は、このような従来品の問題点に鑑み、提案されたものである。
従って本考案の解決しようとする技術的課題は、蓋の重みの影響を受けることなく、ロールペーパーの引き出し部分を摘まんで、楽に且つ確実に引き出すことができるよう形成した、使い勝手の良いロールペーパーホルダーを提供することにある。
【課題を解決するための手段】
【０００６】
本考案は、上記の課題を解決するため、次のような技術的手段を採る。
即ち、本考案は、図１等に示されるように、ロールペーパー１が横向き状に保持され、引き出し部分１ａがロールペーパー１の下から前方に引き出される形式のロールペーパーホルダーであって、ロールペーパー１の引き出し部分１ａを支持する支持板２がロールペーパー１の下方に設けられ、この支持板２の前端２ｃの左右側が切り欠かれ、ロールペーパー１の引き出し部分１ａを摘まむための摘まみ部４に形成されていることを特徴とする（請求項１）。
【０００７】
本考案の場合、摘まみ部４は、ロールペーパー１の引き出し部分１ａの左右を手指で挟んで摘まむことができる大きさであれば良い。また摘まみ部４の切り欠き形状は、自由である。
【０００８】
また本考案の場合、上記の支持板２が、前方に下り傾斜状に形成されているのが好ましい（請求項２）。
なぜならこれによると、ロールペーパー１の引き出し部分１ａを、前方に案内し易くなり、従って一層引き出し易くなるからである。
【０００９】
また本考案は、支持板２の前端２ｃが鋸歯状に形成されているのが好ましい（請求項３）。
なぜならこれによると、ロールペーパー１の引き出し部分１ａを、支持板２の前端２ｃで切り取り易くなるからである。
【考案の効果】
【００１０】
本考案は、このようにロールペーパーを横向き状に保持し、引き出し部分をロールペーパーの下から前方に引き出す形式のロールペーパーホルダーであって、ロールペーパーの引き出し部分を支持する支持板を、ロールペーパーの下方に設け、この支持板の前端の左右側を切り欠き、ロールペーパーの引き出し部分を摘まむための摘まみ部に形成している。
【００１１】
従って本考案の場合は、蓋の重みによる影響を受けることがなく、また支持板に摘まみ部が形成されているから、これによれば、ロールペーパーの引き出し部分の左右を摘まんで、楽に且つ確実に引き出すことができる。
【図面の簡単な説明】
【００１２】
【図１】本考案ホルダーの好適な一実施形態を示し、Ａは斜視図、Ｂは支持板の要部平面図である。
【図２】同上ホルダーの要部斜視図である。
【図３】同上ホルダーの蓋を省略した状態の平面図である。
【図４】同上ホルダーの正面図である。
【図５】図４のＶ−Ｖ線における断面図である。
【図６】同上ホルダーの他の実施形態の斜視図である。
【図７】図６のホルダーの正面図である。
【図８】図７のＶＩＩＩ−ＶＩＩＩ線における断面図である。
【図９】図６のホルダーの要部斜視図である。
【考案を実施するための形態】
【００１３】
以下、本考案を実施するための好適な一実施形態を、添付図面に従って説明する。
本考案は、図１等に示されるように、ロールペーパー１が横向き状に保持され、引き出し部分１ａがロールペーパー１の下から前方に引き出し可能に形成されている。
【００１４】
２は、ロールペーパー１の引き出し部分１ａを支持する支持板である。この支持板２は、左右一対の側板３に横架状に連結され、ロールペーパー１の下側の空間を閉塞するよう設けられている。側板３は、側面から見て円形状に形成されている。
【００１５】
また支持板２は、図２に示されるように、側板３の周囲の湾曲形状に合わされている断面円弧形の湾曲部２ａと、この湾曲部２ａから前方に突き出されている平板状部２ｂとを備えて形成されている。平板状部２ｂは、前方に下り傾斜状に形成されている。また平板状部２ｂの先端である支持板２の前端２ｃは、鋸歯状に形成されている。なお、この実施形態の本考案品は、支持板２の奥側が立ち上げられて背板部２ｄに形成され、この背板部２ｄを介して壁にネジ止め可能に形成されている。
【００１６】
また本考案品は、支持板２の前端２ｃの左右側が切り欠かれ、ロールペーパー１の引き出し部分１ａを摘まむための摘まみ部４に形成されている。この摘まみ部４は、ロールペーパー１の引き出し部分１ａの左右を手指で挟んで摘まむことができるよう、この実施形態ではほぼ鉤形に切り欠かれている。
【００１７】
また５は、ロールペーパー１の前側を遮蔽する前板である。この前板５は、側板３の外周の円弧形状に合わされて断面円弧形に形成され、左右端は側板３に連結されている。またこの前板５は、支持板２の平板状部２ｂとの間に、スリット状の引き出しスペースＳを作るよう、間隔があけられて設けられている。
【００１８】
６（図３等参照）は、ロールペーパー１の支持部である。この支持部６は、棒状に形成され、左右一対の側板３の内側に、横軸７を中心に上下回動可能に設けられている。
【００１９】
ロールペーパー１は、この実施形態では上から収納する。上記の支持部６は、ロールペーパー１で下方に押されると、横軸７を中心に下方に回り、退避部６ａ（図２、図４等参照）に退避する。そして、支持部６の先端がロールペーパー１の芯部１ｂに入ると、バネ８の復元力で支持部６が水平状に復元し、ロールペーパー１を水平に支持するよう形成されている。
なお、９は、前後方向に回動する蓋である。
【００２０】
次に、この実施形態の本考案品の使用例を説明する。
本考案品は、図１、図２等に示されるように、ロールペーパー１の引き出し部分１ａが、支持板２の平板状部２ｂの上に配置されている。従って使用者は、摘まみ部４の箇所でロールペーパー１の引き出し部分１ａを摘まみ、前方に引き出す。この場合、本考案品は、ロールペーパー１に蓋９の重みが加わっていない。従って本考案品によると、軽く楽に引き出すことができる。
【００２１】
そして引き出した後、使用者は、ロールペーパー１の引き出し部分１ａを、支持板２の前端２ｃを利用して切り取る。この場合、本考案品は、引き出し部分１ａを支持板２の前端２ｃに押し付けて切り取ることができるから、本考案品を使用すると、蓋９の下端の鋸歯を利用して上方に反転して切り取る場合に比べ、楽に切り取ることができる。
【００２２】
以上の処において、本考案の場合、側板３や支持板２の形状、構造は、上例に限定されるものではない。即ち、本考案の場合、側板３は、図６等に示されるように、側面から見て、例えば方形に形成されているのでも良い。
【００２３】
また支持板２は、図６、図８等に示されるように、平板状の底板部２ｅに庇状の前板部２ｆが連結されることにより、形成されるのでも良い。この場合は、前板部２ｆの突き出し位置を変更し易くなるから、これによれば摘まみ部４を、最も摘まみ操作し易い位置に簡単に変更できる。
【符号の説明】
【００２４】
１    ロールペーパー
１ａ  引き出し部分
２    支持板
２ｃ  前端
３    側板
４    摘まみ部
５    前板
６    支持部
７    横軸
８    バネ
９    蓋
Ｓ    引き出しスペース
【図１】
0003168438.tif 000003
【図２】
0003168438.tif 000004
【図３】
0003168438.tif 000005
【図４】
0003168438.tif 000006
【図５】
0003168438.tif 000007
【図６】
0003168438.tif 000008
【図７】
0003168438.tif 000009
【図８】
0003168438.tif 000010
【図９】
0003168438.tif 000011